(57)【要約】【課題】脚力が弱って爪先側を引きずるように歩く人でも、つまずいて、転ぶことない、滑り止め靴下の提供を課題とする。【解決手段】靴下１の外面Ｏに滑り止めの突起６を付設した靴下１において、滑り止めの突起６を踵底部分７から土踏まず部分８の手前まで、全横幅に多数点在させて付設した滑り止め靴下１を構成するものである。【選択図】図１
0003103570.tif 000002
【実用新案登録請求の範囲】
【請求項１】
靴下の外面に滑り止めの突起を付設した靴下において、該滑り止めの突起を踵底部分から土踏まず部分の手前まで、全横幅に多数点在させて付設したことを特徴とする滑り止め靴下。
【請求項２】
前記靴下が黒色で、前記突起が白色の花模様からなる請求項１記載の滑り止め靴下。
【請求項３】
前記突起が、高さ０．４〜０．６ｍｍで柔軟材質からなる請求項１記載の滑り止め靴下。
【考案の詳細な説明】
【技術分野】
【０００１】
本考案は、滑り止め機能を付与した靴下に係り、更に詳しくは、脚力が弱って爪先側を引きずるようにして歩く人にとっても、滑ることなく、つまずいて転ぶこともない安全な靴下に関するものである。
【背景技術】
【０００２】
突起やフィルム等の素材を足底に固着させた靴下は、従来から種々提案されている。例えば特開平１１−１３１３０５号公報に記載されたものは、靴下内面の足底に多数の突起を固着させ、足裏のツボを刺激して血行の促進をはかるようにしている。また、特開平１１−２００１０２号公報に記載の靴下は、踵部分の内側を非通気性シ−トによって、乾燥を防止するようにしている。
【０００３】
しかし、本考案は、滑り止めを目的として、靴下外面の足底に素材を固着させるものである。従って素材は、摩擦抵抗の大きいものが対象となる。
【０００４】
摩擦抵抗の大きい素材を、足裏や踵に接着させて滑り止めの効果を奏するようにした靴下は、次の実用新案登録第３０５７９８３号公報（実用新案文献１）に開示されている。
【０００５】
この実用新案文献１に記載の素材は、ポリウレタンフィルムあるいは塩化ビニル樹脂材のフィルム等を対象にしている。しかし、本考案の素材は、靴下外面に固着させる突起状の滑り止め材を対象にしたものである。この点、外面に突起状の滑り止め材を固着した靴下としては、実用新案登録第３０５７９８３号公報（実用新案文献２）の先行技術がある。
【０００６】
実用新案文献２は、爪先側の滑り止めの摩擦抵抗を小さくし、踵側の滑り止めの摩擦抵抗を大きくした、足裏面に多数の滑り止めを付設した靴下に関するものである。ところが、このように靴下に良い配慮がなされているにも拘らず、脚力が弱って爪先側を引きずるように歩く人にとっては、これでも未だつまずいて、前につんのめって、転んでしまうことが報告されている。
【考案の開示】
【考案が解決しようとする課題】
【０００７】
上記の事情に鑑み、本考案が解決しようとする問題点は、脚力が弱って爪先側を引きずるように歩く人でも、つまずいて、こけることない、滑り止め靴下の提供を課題とする。
【課題を解決するための手段】
【０００８】
上記課題を達成するために、本考案は、靴下の外面に滑り止めの突起を付設した靴下において、該滑り止めの突起を踵底部分から土踏まず部分の手前まで、全横幅に多数点在させて付設した滑り止め靴下を構成するものである。
【考案の効果】
【０００９】
本考案の靴下は、足底に滑り止め機能を付与させているので、滑ることのない安全な靴下となっている。
【００１０】
本考案の靴下は、爪先側には突起を設けないようにしたので、脚力が弱って爪先側を引きずるようにして歩く人にとっても、つまずいて転ぶことのない靴下となっている。
【００１１】
本考案の靴下は、滑り止めの突起を花模様の浮き出る配色にすると、婦人向きのしゃれた購買意欲を潅ぐ商品とすることができる。
【考案を実施するための最良の形態】
【００１２】
次に本考案の実施例を、以下図面に基づいて説明する。
【実施例１】
【００１３】
図１は、本考案の滑り止め靴下の一実施例を示す正面図、図２は、同靴下の足底の部位を示す平面図である。
【００１４】
図１の１は、婦人物の短靴下である。靴下１は、特に口ゴム部は設けず、身部２から足甲部３まで長い縦筋柄入りで、伸縮性を持たせている。４は踵部であり、５は爪先部である。本発明の靴下１は、外面Ｏに突起６…６を付設している。突起６…６は、靴下内面の足裏を刺激するためのものではなく、靴下外面の滑り止めを目的としたものである。
【００１５】
滑り止めの突起６…６は、踵底部分７から土踏まず部分８の手前の位置までに付設している。本発明でいう踵底部分７とは、踵４の中で成形線８より上の部分は含まず、踵４の成形線８より底の部分だけをさす。突起６…６は滑り止めを目的としたものなので、成形線９より上の部分には必要ないからである。また、窪んだ土踏まず部分８は地面に接触しないので、突起６…６は、土踏まず部分８の手前の位置までに付設すればよい。
【００１６】
そして、突起６…６は、図２に示すように、全横幅に多数点在させて付設している。横に足が広がって滑ったり、内側に倒れるＯ脚の人もあるので、突起６…６は靴下底面の横幅一杯に付設するようにした。また突起６…６は、面一のものでは摩擦抵抗が大きすぎるので、小粒のものを多数点在させて付設するようにした。本実施例の場合には、突起６…６による滑り止め加工の面積は、靴下底面の横５ｃｍ，縦７．５ｃｍ程度の範囲に及ぶが、その中で加工面積は数％にしかすぎない。
【００１７】
ところで突起６…６とは、先の尖ったものではなく、先端は丸味を帯びた柔軟な材質のものからなっている。また滑り止め素材の材質は、塩化ビニ−ル樹脂、アクリル樹脂、天然ゴム、シリコンゴム等のゴム質のものを使用している。その塗布方法は、突起模様の開孔を有する型板上から、加熱溶融した滑り止め素材を上面が平坦になるように塗布している。
【００１８】
本実施例の場合には、黒色の靴下１に、突起６…６を白色の花模様１０…１０で浮き出さしている。花模様１０…１０は、実施例の場合、横に５個と２個を交互に配列し、これを合計６段付設している。この花模様１０…１０は、中心の花葉１０ａの周り８個の花びら１０ｂ…１０ｂをあしらっている。
【００１９】
花葉１０ａは、直径１ｍｍ、高さ０．４ｍｍ程度の半球状のドットである。また花びら１０ｂ…１０ｂは、幅１ｍｍ、長さ３ｍｍ，高さ０．６ｍｍ程度の半楕円球状の模様にしている。これは、従来の滑り止め突起が、１〜３ｍｍの高さであるのに対して、本実施例は０．４〜０．６ｍｍ高さと低くして、躓いて転ばないようにしている点も特徴である。
【産業上の利用可能性】
【００２０】
本発明の靴下は、一般向きの短靴下を始め、ストッキング、オーバーニー、ハイソックス、アンクレット、フートカバー等に広く利用でき、特に脚力が弱って爪先側を引きずるようにして歩く人にとっては、好適なものである。
【図面の簡単な説明】
【００２１】
【図１】本考案の滑り止め靴下の一実施例を示す平面図である。
【図２】図１の靴下の足底の部位を示す平面図である。
【符号の説明】
【００２２】
１        靴下
２        身部
３        足甲部
４        踵部
５        爪先部
６        突起
７        踵底部分
８        土踏まず部分
９        成形線
１０      花模様
１０ａ    花葉
１０ｂ    花びら
Ｏ        外面
【図１】
0003103570.tif 000003
【図２】
0003103570.tif 000004